(57)【要約】【課題】洗浄槽外で洗剤をストックして洗剤の固化を極力防ぎ、洗浄槽の容積を確保しつつ、使用者が洗剤タンクを容易に着脱することができる食器洗い機を提供すること。【解決手段】上方に開口部１ａを有し食器類８を収容する洗浄槽１と、この洗浄槽１を前後方向へ出し入れ自在に支持する筐体２と、洗浄槽１の外側前方に設けられ液体洗剤を溜める洗剤タンク１５と、この洗剤タンク１５と洗浄槽１とを連通する洗剤吐出経路１４ｂ、１８を備え、洗剤タンク１５は、左右方向へ出し入れ自在に構成される。【選択図】図１
2020178864.tif 000002
【特許請求の範囲】
【請求項１】
上方に開口部を有し食器類を収容する洗浄槽と、
前記洗浄槽を前後方向へ出し入れ自在に支持する筐体と、
前記洗浄槽の外側前方に設けられ液体洗剤を溜める洗剤タンクと、
前記洗剤タンクと前記洗浄槽とを連通する洗剤吐出経路を備え、
前記洗剤タンクは、左右方向へ出し入れ自在に構成される、
食器洗い機。
【請求項２】
前記洗剤タンクは、前記洗浄槽を前方向に所定距離以上引き出された状態で左右方向へ出し入れ自在に構成される、請求項１記載の食器洗い機。
【請求項３】
前記洗浄槽の外側前方に前記洗剤タンクを収納する洗剤タンク収納部を更に有する、請求項１または２のいずれか１項に記載の食器洗い機。
【請求項４】
前記洗剤タンクが前記洗剤タンク収納部に収納された状態で使用者が目視可能な前記洗剤タンクの側面側に透明部を有し、前記透明部に洗剤量を示す目盛りを有する、請求項３記載の食器洗い機。
【請求項５】
前記洗剤タンクは液体洗剤を前記洗剤吐出経路に吐出する洗剤吐出口を更に有し、
前記洗剤吐出経路は前記洗剤タンク収納部と連結され、前記洗剤吐出口は、前記洗剤タンクが前記洗剤タンク収納部に収納されたとき、前記洗剤吐出経路に連結される構成とした、請求項３または４に記載の食器洗い機。
【請求項６】
前記洗剤タンクに溜められた液体洗剤を前記洗浄槽へ移送する洗剤ポンプを更に有する、請求項１〜５のいずれか１項に記載の食器洗い機。
【請求項７】
前記洗剤ポンプは、前記洗剤吐出経路の途中に配置される、請求項６記載の食器洗い機。
【請求項８】
前記洗浄槽の外側前方上部に設けられ、洗浄コースや電源オンオフを設定する操作部を更に有する、請求項１〜７のいずれか１項に記載の食器洗い機。
【請求項９】
前記洗剤タンクは、前記操作部の略下方に収納される、請求項８記載の食器洗い機。
【発明の詳細な説明】
【技術分野】
【０００１】
本発明は、筐体より洗浄槽を引き出して食器類を収容し、洗浄する食器洗い機に関するものである。
【背景技術】
【０００２】
従来、システムキッチンに組み込まれた状態で使用されるビルトイン型の食器洗い機は、前方に開閉可能な扉部を有する洗浄槽を筐体内に固定したものが主流であったが、近年、上方に開口部を有する洗浄槽を筐体より引き出して食器類を収容し、洗浄する食器洗い機が主流となっている（例えば、特許文献１参照）。
【０００３】
また、特許文献１の食器洗い機では、上方に開口部を有し食器類を収容する洗浄槽と、前記洗浄槽を前後方向へ出し入れ自在に支持する筐体と、前記洗浄槽の外に設けられ前記洗浄槽内へ洗剤を投入する洗剤投入口と、前記洗剤投入口と前記洗浄槽とを連通する投入経路を備えたもので、洗浄槽とは独立した箇所に設けた洗剤投入口から洗剤を投入することにより、洗浄槽内に入れられた食器類の大きさや形状に係わらず、確実に洗剤を投入することができるものがあった。
【０００４】
さらに、特許文献２の食器洗い機では、洗浄槽の内壁に洗剤収容容器を着脱自在又は一体的に取り付け、かつこの洗剤収容容器を洗浄槽の内壁に設けた洗浄水の給水口とほぼ同じ高さ又はこれより上方の位置に取り付けた構成により、食器等の洗浄を開始する前に洗剤がこぼれ落ちたり、流出したり固化したりするおそれがなく、食器等を効果的に洗浄することができるものが存在する。
【先行技術文献】
【特許文献】
【０００５】
【特許文献１】特開２００７−１３５６５０号公報
【特許文献２】特開２０００−２２５０８７号公報
【発明の概要】
【発明が解決しようとする課題】
【０００６】
しかしながら、このような従来の食器洗い機の構成では、洗剤を上方の開口部から投入するとそのまま洗浄槽に流れ落ちてしまうので、食器洗い機の使用時に都度必要な量の洗剤を使用者が投入しなければならず、洗剤をストックしておくことができない。
【０００７】
さらに、洗浄槽内に洗剤収容容器を設けると、洗浄槽内の湿気と乾燥を繰り返すことにより、洗剤が固化してしまう場合が起こりうる。また、洗浄槽内に洗剤収容容器を設けると、洗浄槽の容積が小さくなるので食器を載置するスペースが減少してしまう。
【０００８】
本発明は上記従来の課題を解決するもので、洗浄槽外で洗剤をストックして洗剤の固化を極力防ぎ、洗浄槽の容積を確保しつつ、さらに使用者に使い勝手のよい食器洗い機を提供することを目的としている。
【課題を解決するための手段】
【０００９】
前記従来の課題を解決するために、本発明の食器洗い機は、上方に開口部を有し食器類を収容する洗浄槽と、前記洗浄槽を前後方向へ出し入れ自在に支持する筐体と、前記洗浄槽の外側前方に設けられ液体洗剤を溜める洗剤タンクと、前記洗剤タンクと前記洗浄槽とを連通する洗剤吐出経路を備え、前記洗剤タンクは、左右方向へ出し入れ自在に構成され
る。
【発明の効果】
【００１０】
本発明の食器洗い機は、洗浄槽外で洗剤をストックして洗剤の固化を極力防ぎ、洗浄槽の容積を確保しつつ、使用者が洗剤タンクを容易に着脱することができる。
【図面の簡単な説明】
【００１１】
【図１】本発明の実施の形態１における洗浄槽を筐体から引き出した状態の食器洗い機の概略側面図
【図２】本発明の実施の形態１における洗剤タンクを収納途中もしくは引出途中の食器洗い機の概略正面図
【図３】本発明の実施の形態１における洗剤タンクを収納した状態の食器洗い機の概略正面図
【図４】本発明の実施の形態１における洗浄槽を筐体から引き出した状態の他の食器洗い機の概略側面図
【図５】本発明の実施の形態２における洗剤タンクを収納した状態の食器洗い機の概略正面図
【図６】本発明の実施の形態２における洗浄槽を筐体から引き出した状態の食器洗い機の概略側面図
【発明を実施するための形態】
【００１２】
第１の発明は、上方に開口部を有し食器類を収容する洗浄槽と、前記洗浄槽を前後方向へ出し入れ自在に支持する筐体と、前記洗浄槽の外側前方に設けられ液体洗剤を溜める洗剤タンクと、前記洗剤タンクと前記洗浄槽とを連通する洗剤吐出経路を備え、前記洗剤タンクは、左右方向へ出し入れ自在に構成されることにより、洗浄槽外で洗剤をストックして洗剤の固化を極力防ぎ、洗浄槽の容積を確保しつつ、使用者が洗剤タンクを容易に着脱することができる。
【００１３】
第２の発明は、第１の発明において、前記洗剤タンクは、前記洗浄槽を前方向に所定距離以上引き出された状態で左右方向へ出し入れ自在に構成されることにより、洗浄槽が筐体に完全に収納された状態では、洗剤タンクが目立つことなくシンプルなデザインの食器洗い機を構成することができ、洗浄槽を前方向に所定距離以上引き出された状態ではじめて洗剤タンクを出し入れすることができるので、洗浄槽の前方における洗剤タンクを収納するスペースと、筐体から洗浄槽を引き出したときの横方向のスペースとを活用して、洗剤タンクを使用者が容易に出し入れすることができる。
【００１４】
第３の発明は、第１または第２の発明において、前記洗浄槽の外側前方に前記洗剤タンクを収納する洗剤タンク収納部を更に有することにより、洗浄槽が筐体に完全に収納された状態では、洗剤タンクが目立つことなくシンプルなデザインの食器洗い機を構成することができ、洗浄槽の外側前方における洗剤タンクを収納するスペースを有効活用することができる。
【００１５】
第４の発明は、第３の発明において、前記洗剤タンクが前記洗剤タンク収納部に収納された状態で使用者が目視可能な前記洗剤タンクの側面側に透明部を有し、前記透明部に洗剤量を示す目盛りを有することにより、洗剤タンクが洗剤タンク収納部に収納された状態であっても使用者が洗剤量を目視で確認することができる。
【００１６】
第５の発明は、第３または第４の発明において、前記洗剤タンクは液体洗剤を前記洗剤吐出経路に吐出する洗剤吐出口を更に有し、前記洗剤吐出経路は前記洗剤タンク収納部と連結され、前記洗剤吐出口は、前記洗剤タンクが前記洗剤タンク収納部に収納されたとき
、前記洗剤吐出経路に連結される構成としたことにより、洗剤タンクが洗剤タンク収納部に収納されることで、洗剤吐出口から洗剤吐出経路に洗剤を移送するための経路を確保することができる。
【００１７】
第６の発明は、第１〜第５のいずれかの発明において、前記洗剤タンクに溜められた液体洗剤を前記洗浄槽へ移送する洗剤ポンプを更に有することにより、洗剤タンクに溜められた液体洗剤を洗剤ポンプで吸引して洗浄槽内へ移送することができる。また、洗剤ポンプの駆動時間を制御すれば必要量の液体洗剤を洗浄槽内へ移送することができる。
【００１８】
第７の発明は、第６の発明において、前記洗剤ポンプは、前記洗剤吐出経路の途中に配置されることにより、洗剤タンクに溜められた液体洗剤を洗剤ポンプで吸引し、洗剤吐出経路を経由して洗浄槽内へ移送することができる。
【００１９】
第８の発明は、第１〜第７のいずれかの発明において、前記洗浄槽の外側前方上部に設けられ、洗浄コースや電源オンオフを設定する操作部を更に有することにより、使用者は洗浄槽の前方かつ上方から操作部を操作しつつ、洗剤タンクを左右方向へ出し入れできる。
【００２０】
第９の発明は、第８の発明において、前記洗剤タンクは、前記操作部の略下方に収納されることにより、洗浄槽の外側前方上部のスペースとその下方のスペースを有効活用することができる。
【００２１】
以下、本発明の実施の形態について、図面を参照しながら説明する。なお、この実施の形態によって本発明が限定されるものではない。
【００２２】
（実施の形態１）
図１は本発明の実施の形態１における洗浄槽を筐体から引き出した状態の食器洗い機の概略側面図である。
【００２３】
図１では、システムキッチン等に搭載されるビルトイン式の食器洗浄機において、食器洗い機の洗浄槽１が食器洗い機の筐体２より引き出した状態の概略側面図を示している。
【００２４】
洗浄槽１は上方に開口部１ａを有し、食器類８を収容するためのかご７を配置している。洗浄槽１の下方に第１のレール５が固定されており、この第１のレール５は、筐体２に固定された第２のレール６によって、前後方向（図１紙面上では左右方向）へと筐体２から出し入れ自在に支持されている。
【００２５】
洗浄槽１の外側前方上部である開口部１ａの前方には平面部２３が配置されており、平面部２３には、食器洗い機の洗浄コースや電源オンオフ等を設定する操作部２４および洗浄状況や動作状況、時間等を表示する表示部２５が配置されている。また、平面部２３における操作部２４や表示部２５の裏面側には、図示しない操作表示基板が配置されている。
【００２６】
洗浄槽１と扉体３とをつなぐ側壁１２が洗浄槽１と扉体３の両側に配置され、洗浄槽１の前面側と扉体３と側壁１２と平面部２３とで区画された前方空間部１３を有している。
【００２７】
また、洗浄槽１で洗浄するための給水については、図示しないシステムキッチン上の分岐水栓等からの給水ホース等給水経路を経て、図示しない給水ポンプや給水弁等により洗浄槽１内に必要な水位や必要量の給水がなされるように構成されている。
【００２８】
洗浄槽１の外側下方には循環ポンプ９が配置され、洗浄槽１内に給水された洗浄水を循環経路を経て循環させ、洗浄ノズル１１から洗浄水を噴射させて食器類８を洗浄することが可能なように構成されている。なお、洗浄水を加熱するためのヒータ１０も洗浄槽１の底部近傍に配置されている。
【００２９】
また、洗浄槽１から洗浄水を排水するための図示しない排水ポンプと排水ホース等の排水経路が配置されており、食器類８の洗浄やすすぎが終了すると、この排水ポンプを駆動することにより、洗浄槽１内の洗浄水をシステムキッチンのシンク等に排水可能に構成されている。
【００３０】
洗浄槽１の外側前方である前方空間部１３には洗剤タンク収納部１４が配置されており、洗剤タンク収納部１４は側壁１２の片側に溶着またはネジ止めまたは一体成型で構成されている（なお、洗剤タンク収納部１４は洗浄槽１の前面に溶着またはネジ止めまたは一体成型等で取り付けまたは構成されてもよい）。
【００３１】
図２は本発明の実施の形態１における洗剤タンクを収納途中もしくは引出途中の食器洗い機の概略正面図である。また、図３は本発明の実施の形態１における洗剤タンクを収納した状態の食器洗い機の概略正面図である。
【００３２】
図２および図３において、洗剤タンク収納部１４は空洞状となっており、この洗剤タンク収納部１４に洗剤タンク１５が前方（扉体３の正面側）からみて左右方向（側方）へ出し入れ自在に収納される。なお、洗剤タンク１５は平面部２３（または操作部２４、または表示部２５）の略下方に位置する洗剤タンク収納部１４内に配置収納される。なお、図２および図３上では洗剤タンク収納部１４から洗剤タンク１５を右方向に引き出す構成となっているが、洗剤タンク収納部１４および洗剤タンク１５を図２や図３とは左右対称に配置して、洗剤タンク収納部１４から洗剤タンク１５を左方向に引き出す構成としてもよい。
【００３３】
これにより、洗浄槽１が筐体２に完全に収納された状態では、洗剤タンク１５が目立つことなくシンプルなデザインの食器洗い機を構成することができ、洗浄槽１の外側前方における洗剤タンク１５を収納するスペースを有効活用することができる。
【００３４】
なお、図１で示すとおり洗剤タンク１５は、洗浄槽１を前方に距離ａ（図１の点線矢印で表示）以上引き出された状態で洗剤タンク収納部１４から左右方向に出し入れ自在に構成されている。距離ａは扉体３と筐体２の合わせ面と洗剤タンク収納部１４の洗浄槽１側の面の最短距離を示す。すなわち距離ａは、洗剤タンク収納部１４全体が筐体２の最前部より前側に引き出されたときの状態を示す。
【００３５】
これにより、洗浄槽１が筐体２に完全に収納された状態では、洗剤タンク１５が目立つことなくシンプルなデザインの食器洗い機を構成することができ、洗浄槽１を前方向に所定距離（距離ａ）以上引き出された状態ではじめて洗剤タンク１５を出し入れすることができるので、洗浄槽１の前方における洗剤タンク１５を収納するスペースと、筐体２から洗浄槽１を引き出したときの横方向のスペースとを活用して、洗剤タンク１５を使用者が容易に出し入れすることができる。なお、距離ａは洗剤タンク１５が左右方向に出し入れ可能な距離と規定すれば、それ以上に特に限定するものではない。
【００３６】
また、洗浄槽１の外側前方上部に設けられ、洗浄コースや電源オンオフを設定する操作部２４を有することにより、使用者は例えば洗浄槽１の前方かつ上方から片手で操作部２４を操作しつつ、洗剤タンク１５をもう一方の片手で左右方向へ出し入れすることもできる。
【００３７】
洗剤タンク１５は、液体洗剤が貯められるボトル状の容器で構成されており、洗剤タンク洗剤吐出口１５ｃと洗剤タンク洗剤吸引経路１５ｄと洗剤入れ蓋部１５ｅで構成されている。
【００３８】
洗剤タンク洗剤吐出口１５ｃと洗剤タンク洗剤吸引経路１５ｄと洗剤入れ蓋部１５ｅとは一体で構成されており、洗剤タンク１５から着脱可能となっているので、洗剤入れ蓋部１５ｅを洗剤タンク１５から取り外すと、一体で構成されている洗剤タンク洗剤吐出口１５ｃと洗剤タンク洗剤吸引経路１５ｄも洗剤タンク１５から取り外しが可能となっている。なお、洗剤タンク洗剤吸引経路１５ｄの吸引するための先端部は、洗剤タンク１５の底面付近まで延びており、液体洗剤が凡そ無くなるまで吸引することが可能な構成となっている。
【００３９】
使用者は、洗剤タンク１５を洗剤タンク収納部１４から取り外し、洗剤入れ蓋部１５ｅを洗剤タンク１５から取り外すことで液体洗剤を洗剤タンク１５に補充することが可能となっている。
【００４０】
これらにより、洗浄槽１の外側で液体洗剤をストックして洗剤の固化を極力防ぎ、洗浄槽１の容積を確保しつつ、使用者が洗剤タンク１５を容易に着脱することができる。
【００４１】
また、洗剤タンク洗剤吐出口１５ｃは洗剤入れ蓋部１５ｅから側方に凸状に突出した凸部１５ｆを設けている。洗剤タンク収納部１４は、洗剤タンク洗剤吐出口１５ｃの凸部１５ｆが合致する凹部１４ｃを設けており、この凹部１４ｃに凸部１５ｆが合致することで洗剤タンク１５の洗剤タンク収納部１４への収納が完了する。
【００４２】
この凹部１４ｃと凸部１５ｆが合致することにより、洗剤タンク１５が洗剤タンク収納部１４に収納されることで、洗剤タンク洗剤吐出口１５ｃから洗剤タンク収納部側洗剤吐出経路１４ｂに洗剤を移送するための経路を確保することができ、さらには凸部１５ｆと凹部１４ｃが嵌合することによって、洗剤タンク１５が洗剤タンク収納部１４内に安定して収納することが可能となっている。
【００４３】
洗剤タンク収納部１４の凹部１４ｃには、洗剤タンク収納部洗剤吐出口１４ａが設けられ、洗剤タンク収納部洗剤吐出口１４ａには洗剤タンク収納部側洗剤吐出経路１４ｂが配置されている。洗剤タンク収納部側洗剤吐出経路１４ｂの他端には洗剤ポンプ１６が接続され、さらに洗剤ポンプ１６と洗浄槽１の前面に設けられた洗浄槽洗剤吐出口１７との間に洗浄槽側洗剤吐出経路１８が接続されている。すなわち、洗剤ポンプ１６は、洗剤タンク収納部側洗剤吐出経路１４ｂと洗浄槽側洗剤吐出経路１８の間である洗剤投入経路の途中に配置されている。
【００４４】
これらにより、洗剤タンク１５は液体洗剤を洗剤タンク収納部側洗剤吐出経路１４ｂに吐出する洗剤タンク洗剤吐出口１５ｃを有し、洗剤タンク収納部側洗剤吐出経路１４ｂは前記洗剤タンク収納部１４と連結され、洗剤タンク洗剤吐出口１５ｃは、洗剤タンク１５が洗剤タンク収納部１４に収納されたとき、洗剤タンク収納部側洗剤吐出経路１４ｂに連結される構成となっている。
【００４５】
また、制御装置１９が洗浄槽１の前面下方に配置されており（図１）、循環ポンプ９や排水ポンプ、給水ポンプ（給水弁）、洗剤ポンプ１６の駆動を制御するように構成されている。
【００４６】
制御装置１９によって洗剤ポンプ１６の駆動回転速度や駆動時間を制御して、食器類８
の洗浄時に必要量の液体洗剤を洗剤タンク１５から吸引し、洗剤タンク洗剤吸引経路１５ｄ、洗剤タンク洗剤吐出口１５ｃ、洗剤タンク収納部洗剤吐出口１４ａ、洗剤タンク収納部側洗剤吐出経路１４ｂ、洗剤ポンプ１６、洗浄槽側洗剤吐出経路１８、洗浄槽洗剤吐出口１７を順番に経て、洗剤タンク１５に溜められた液体洗剤を洗浄槽１に移送して供給することができる構成となっている。
【００４７】
図４は本発明の実施の形態１における洗浄槽を筐体から引き出した状態の他の食器洗い機の概略側面図である。
【００４８】
洗剤タンク１５が洗剤タンク収納部１４に収納された状態で、使用者が目視可能な洗剤タンク１５の側面側の少なくとも一部に透明部１５ａを有し、この透明部１５ａに洗剤量を示す目盛り１５ｂを有する。これにより、洗剤タンク１５が洗剤タンク収納部１４に収納された状態であっても、使用者が洗剤量を側方から目視で確認することができるので、液体洗剤の減り具合や補充タイミングを目視により推測することが容易となる。
【００４９】
（実施の形態２）
図５は本発明の実施の形態２における洗剤タンクを収納した状態の食器洗い機の概略正面図である。また、図６は本発明の実施の形態２における洗浄槽を筐体から引き出した状態の食器洗い機の概略側面図である。実施の形態１と重複する構成については説明を省略する。
【００５０】
図５において、操作部２４および表示部２５は扉体３の前面上部に配置されており、取手４も実施の形態１の突出した取手とは異なり、扉体３の内方に向けてへこんだ形状の取手４を構成している。
【００５１】
本実施の形態においても、洗浄コースや電源オンオフを設定する操作部２４および表示部２５は、洗浄槽１の外側前方上部に設けられている。これにより、使用者は洗浄槽１の前方かつ上方から操作部２４を操作しつつ、洗剤タンク１５を左右方向へ出し入れできる。なお、操作部２４または表示部２５のいずれかを平面部２３に配置し、他方を扉体３の前面上部に配置してもよいものとする（図６に記載）。
【００５２】
実施の形態１の記載内容と実施の形態２の記載内容とは記載されている範囲で自由に組み合わせて構成してもよいものとする。
【産業上の利用可能性】
【００５３】
以上のように、本発明に係る食器洗い機は、洗浄槽外で洗剤をストックして洗剤の固化を極力防ぎ、洗浄槽の容積を確保しつつ、使用者が洗剤タンクを容易に着脱することができるので、洗剤を使用する洗濯機等の機器にも応用できる。
【符号の説明】
【００５４】
１  洗浄槽
１ａ  開口部
２  筐体
３  扉体
４  取手
５  第１のレール
６  第２のレール
７  かご
８  食器類
９  循環ポンプ
１０  ヒータ
１１  洗浄ノズル
１２  側壁
１３  前方空間部
１４  洗剤タンク収納部
１４ａ  洗剤タンク収納部洗剤吐出口
１４ｂ  洗剤タンク収納部側洗剤吐出経路（洗剤吐出経路）
１４ｃ  凹部
１５  洗剤タンク
１５ａ  透明部
１５ｂ  目盛り
１５ｃ  洗剤タンク洗剤吐出口
１５ｄ  洗剤タンク洗剤吸引経路
１５ｅ  洗剤入れ蓋部
１５ｆ  凸部
１６  洗剤ポンプ
１７  洗浄槽洗剤吐出口
１８  洗浄槽側洗剤吐出経路（洗剤吐出経路）
１９  制御装置
２３  平面部
２４  操作部
２５  表示部
【図１】
2020178864.tif 000003
【図２】
2020178864.tif 000004
【図３】
2020178864.tif 000005
【図４】
2020178864.tif 000006
【図５】
2020178864.tif 000007
【図６】
2020178864.tif 000008